(57)【要約】  【課題】  周囲の状況に応じてディスクスピンドルモータの回転速度を決定することができる光ディスクドライブ及び光ディスクドライブの回転制御方法を提供する。  【解決手段】  ディスクドライブＡの周囲の環境情報に応じて上限及び（又は）下限を決定する回転速度範囲決定ステップと、ホストコンピュータＨＣにて決定されたディスクスピンドルモータ２の回転速度の上限及び（又は）下限のうち、優先順位の上位の上限及び（又は）下限を選択する回転速度限定ステップと、決定された上限の回転速度より順に回転速度を落として前記光ピックアップで読み出し可能である速度を検出する読み出し速度決定ステップと、検出されたディスクスピンドルモータ２の回転速度を前記メモリに記録するメモリ記録ステップとを有している。【選択図】      図３
2005108285.tif 000002
【特許請求の範囲】
【請求項１】
光ディスクに記録されているデータを読み出す及び（又は）光ディスクにデータを記録
する光ディスクドライブにおいて、
前記光ディスクにレーザ光を照射してデータを記録する又は該レーザ光の反射光を検出
することで該光ディスクに記録されているデータを読み出す光ピックアップと
前記光ディスクを所定の回転速度で回動するディスクスピンドルモータと、
前記光ピックアップにて記録されるデータ及び（又は）該光ピックアップにて読み出さ
れたデータを一時格納しておくメモリと、
前記光ディスクドライブへホストコンピュータよりデータを入力する及び（又は）ホス
トコンピュータにデータを出力するための外部入出力部と、
前記光ディスクドライブの各部の動作を制御する制御装置と、
前記ホストコンピュータから情報を前記制御装置に伝達するための情報入力部と、を備
えており、
前記ディスクスピンドルモータは前記光ピックアップの記録又は再生速度に対して最適
な回転速度を複数備えており、
前記ホストコンピュータは前記ディスクドライブの周囲の環境情報をもとに光ディスク
ドライブの回転速度の上限及び（又は）下限を前記最適な回転速度の中から決定し、
前記制御装置は前記ホストコンピュータより入力された前記上限の回転速度より順に前
記下限又は回転速度の下限が決定されていない場合は最低回転速度まで、回転速度を落と
して前記光ピックアップで記録または読み出し可能である速度を検出し、
前記読み出し可能速度は前記光ディスクの記録又は読み出し開始時に行われると共に、
検出されたディスクスピンドルモータの回転速度は前記メモリに記録され、
前記メモリに記録された前記ディスクスピンドルモータの回転速度は再度記録又は読み
出し開始まで保持され、
前記環境情報は、現在の時間、前記光ディスクドライブの外部の温度及び使用者からの
指示命令であり、これら外部からの情報の優先順位を使用者が任意に設定できることを特
徴とする光ディスクドライブ。
【請求項２】
光ディスクに記録されているデータを読み出す及び（又は）光ディスクにデータを記録
するディスクドライブにおいて、
前記光ディスクにレーザ光を照射してデータを記録する又は該レーザ光の反射光を検出
することで該光ディスクに記録されているデータを読み出す光ピックアップと
前記光ディスクを所定の回転速度で回動するディスクスピンドルモータと、
前記光ピックアップにて記録されるデータ及び（又は）該光ピックアップにて読み出さ
れたデータを一時格納しておくメモリと、
前記光ディスクドライブへ外部機器よりデータを入力する及び（又は）外部機器にデー
タを出力するための外部入出力部と、
前記光ディスクドライブの各部の動作を制御する制御装置と、を備えており、
前記ディスクスピンドルモータは前記光ピックアップの記録又は再生速度に対して最適
な回転速度を複数備えており、
前記外部機器は前記ディスクドライブの周囲の環境情報をもとに光ディスクドライブの
回転速度の上限及び下限を前記最適な回転速度の中から決定し、外部入出力部を介して制
御装置に送信し、
前記制御装置は前記外部機器より入力された前記上限の回転速度より順に前記下限の回
転速度まで回転速度を落として前記光ピックアップで記録または読み出し可能である速度
を検出し、
前記読み出し可能速度は前記光ディスクの記録又は読み出し開始時に行われると共に、
検出されたディスクスピンドルモータの回転速度は前記メモリに記録され、
前記メモリに記録された前記ディスクスピンドルモータの回転速度は再度記録又は読み
出し開始まで保持されることを特徴とする光ディスクドライブ。
【請求項３】
前記環境情報は上記の時間、光ディスクドライブの外部温度、使用者からの指示命令以
外又はそれらに加えて該光ディスクドライブの回転速度に影響すると使用者が要求する条
件であることを特徴とする請求項１に記載の光ディスクドライブ。
【請求項４】
ディスクドライブの周囲の環境情報に応じてホストコンピュータにてディスクスピンド
ルモータに予め設定されている回転速度のうち上限及び（又は）下限を決定する回転速度
範囲決定ステップと、
前記ホストコンピュータにて決定された各環境情報に応じた前記ディスクスピンドルモ
ータの回転速度の上限及び（又は）下限のうち、使用者に任意に決定された優先順位の上
位の上限及び（又は）下限を選択する回転速度限定ステップと、
前記回転速度範囲決定ステップにて決定された上限の回転速度より順に前記ディスクス
ピンドルモータの最低回転速度又は前記決定された下限の回転速度まで回転速度を落とし
て前記光ピックアップで記録または読み出し可能である速度を検出する読み出し速度決定
ステップと、
前記速度検出ステップにて検出されたディスクスピンドルモータの回転速度を前記メモ
リに記録するメモリ記録ステップと、を有しており、
前記回転速度検出ステップにて検出された読み出し可能な回転速度は前記光ディスクの
記録又は読み出し開始時に行われると共に、前記メモリに記録された前記ディスクスピン
ドルモータの回転速度は再度記録又は読み出し開始まで保持され、
前記ディスクドライブの周囲の環境情報は、現在の時間、前記光ディスクドライブの外
部の温度及び使用者からの指示命令であることを特徴とする光ディスクドライブの回転速
度制御方法。
【請求項５】
ディスクドライブの周囲の環境情報に応じて外部機器にてディスクスピンドルモータに
予め設定されている回転速度のうち上限及び（又は）下限を決定する回転速度範囲決定ス
テップと、
前記外部機器にて決定された各環境情報に応じた前記ディスクスピンドルモータの回転
速度の上限及び（又は）下限のうち、使用者にて任意に決定された優先順位の上位の上限
及び（又は）下限を選択する回転速度限定ステップと、
前記上限決定ステップにて決定された上限回転速度より順に回転速度を落として前記光
ピックアップで記録又は読み出し可能である速度を検出する回転速度検出ステップと、
前記速度検出ステップにて検出されたディスクスピンドルモータの回転速度を前記メモ
リに記録するメモリ記録ステップと、を有しており、
前記回転速度検出ステップにて検出された読み出し可能な回転速度は前記光ディスクの
記録又は読み出し開始時に行われると共に、前記メモリに記録された前記ディスクスピン
ドルモータの回転速度は記録又は読み出しを再度開始するまで保持されることを特徴とす
る光ディスクドライブの回転速度制御方法。
【請求項６】
前記ディスクドライブの周囲の環境情報は上記の時間、光ディスクドライブの外部温度
以外又はそれらに加えて該光ディスクドライブの回転速度に影響すると使用者が要求する
条件であることを特徴とする請求項４に記載の光ディスクドライブの回転速度制御方法。
【発明の詳細な説明】
【技術分野】
【０００１】
本発明は、使用者の要求に応じて光ディスクの回転速度を決定する光ディスクドライブ
及びその回転速度制御方法に関するものである。
【背景技術】
【０００２】
最近、データの記録媒体として光ディスクが広く利用されている。前記光ディスクのデ
ータ読み出し速度は徐々に高速化しており、それに伴って、光ディスク再生装置の前記光
ディスクを回動させるディスクスピンドルモータの回転速度も高速化している。
【０００３】
図５に従来の光ディスク再生装置の概略配置図を示す。
【０００４】
図５に示す光ディスク再生装置Ｂは、光ディスクＤｓｃに記録されたデータを読み出す
ための光ピックアップ９１と、光ディスクＤｓｃを回動するディスクスピンドルモータ９
２と、読み出したデータを一時格納しておくメモリ９３と、メモリ９３に格納したデータ
を外部機器９Ｇに出力する外部入出力手段９４と、光ディスク再生装置Ｂの動作を制御す
る制御装置９５とを備えている。
【０００５】
光ディスク再生装置Ｂのディスクスピンドルモータ９２は標準速度、２倍速、４倍速、
８倍速。２０倍速、４０倍速の６つの回転速度を備えている。光ディスク再生装置Ｂは光
ディスクＤｓｃのデータを読み込む場合、図６に示すように、ディスクスピンドルモータ
９２の回転速度は最高速度に設定されており、その速度で読み出しを失敗すると回転速度
を遅い速度に変更してディスクの読み出しを行う（図６ステップＳ９１〜Ｓ９５参照）。
【０００６】
光ディスク再生装置Ｂは読み出しができた速度を読み出し速度として設定する。また、
読み出しができない場合順次ディスクの回転速度を落としていき、標準速度での読み出し
にも失敗した場合、光ディスクの読み出し失敗と認識し、制御装置９５は使用者に読み出
し失敗の旨を伝え、光ディスク再生装置Ｂの読み出しを終了する。
【特許文献１】特開２００１−２９１３０９号公報
【発明の開示】
【発明が解決しようとする課題】
【０００７】
しかしながら、ディスクスピンドルモータ９２の回転速度が高速であればあるほど、消
費電力は多くなり、騒音が大きくなる。深夜及び早朝等、周囲が静かな状況においては非
常に目立つ騒音であり、高速回転の回転体より発する音声であるため高周波の耳障りな音
である。
【０００８】
また、光ディスクＤｓｃの回転速度が高速の場合、高速の回転速度で長時間回転させる
と、ディスクスピンドルモータ９２、回転軸及び該回転軸を受けている軸受等にも大きな
負担がかかる。ディスクスピンドルモータ９２が高負荷で運転されているとディスクスピ
ンドルモータ９２の発熱量も高くなり、発熱量が非常に多い場合は空冷ファン等の冷却装
置が必要となってくる場合もある。
【０００９】
光ディスクＤｓｃが高速回転するときは、軸受等の摩擦の生じる部分に塵、ゴミ等の微
小物質がかみ合うことで不具合が発生しやすくなったり、回転部を組み付けする場合の要
求精度が非常にシビアであったりする。
【００１０】
そこで本発明は、周囲の状況（上述の場合、時間、温度等）に応じてディスクスピンド
ルモータの回転速度を決定することができる光ディスクドライブの回転制御方法を提供す
ることを目的とする。
【課題を解決するための手段】
【００１１】
上述の目的を達成するために請求項１に示す発明は、光ディスクに記録されているデー
タを読み出す及び（又は）光ディスクにデータを記録する光ディスクドライブにおいて、
前記光ディスクにレーザ光を照射してデータを記録する又は該レーザ光の反射光を検出す
ることで該光ディスクに記録されているデータを読み出す光ピックアップと前記光ディス
クを所定の回転速度で回動するディスクスピンドルモータと、前記光ピックアップにて記
録されるデータ及び（又は）該光ピックアップにて読み出されたデータを一時格納してお
くメモリと、前記光ディスクドライブへホストコンピュータよりデータを入力する及び（
又は）ホストコンピュータにデータを出力するための外部入出力部と、前記光ディスクド
ライブの各部の動作を制御する制御装置と、前記ホストコンピュータから情報を前記制御
装置に伝達するための情報入力部と、を備えており、前記ディスクスピンドルモータは前
記光ピックアップの記録又は再生速度に対して最適な回転速度を複数備えており、前記ホ
ストコンピュータは前記ディスクドライブの周囲の環境情報をもとに光ディスクドライブ
の回転速度の上限及び（又は）下限を前記最適な回転速度の中から決定し、前記制御装置
は前記ホストコンピュータより入力された前記上限の回転速度より順に前記下限又は回転
速度の下限が決定されていない場合は最低回転速度まで、回転速度を落として前記光ピッ
クアップで記録または読み出し可能である速度を検出し、前記読み出し可能速度は前記光
ディスクの記録又は読み出し開始時に行われると共に、検出されたディスクスピンドルモ
ータの回転速度は前記メモリに記録され、前記メモリに記録された前記ディスクスピンド
ルモータの回転速度は再度記録又は読み出し開始まで保持され、前記環境情報は、現在の
時間、前記光ディスクドライブの外部の温度及び使用者からの指示命令であり、これら外
部からの情報の優先順位を使用者が任意に設定できることを特徴とする光ディスクドライ
ブを提供する。
【００１２】
この構成によると、ホストコンピュータによって検出された環境情報をもとに、光ディ
スクドライブの回転速度を決定するので、光ディスクドライブ自体は安価に、簡単な構造
に構成することが可能である。
【００１３】
上述の目的を達成するために請求項２に示す発明は、光ディスクに記録されているデー
タを読み出す及び（又は）光ディスクにデータを記録するディスクドライブにおいて、前
記光ディスクにレーザ光を照射してデータを記録する又は該レーザ光の反射光を検出する
ことで該光ディスクに記録されているデータを読み出す光ピックアップと、前記光ディス
クを所定の回転速度で回動するディスクスピンドルモータと、前記光ピックアップにて記
録されるデータ及び（又は）該光ピックアップにて読み出されたデータを一時格納してお
くメモリと、前記光ディスクドライブへ外部機器よりデータを入力する及び（又は）外部
機器にデータを出力するための外部入出力部と、前記光ディスクドライブの各部の動作を
制御する制御装置と、前記ディスクドライブの外部から情報を前記制御装置に伝達するた
めの情報入力部と、を備えており、前記ディスクスピンドルモータは前記光ピックアップ
の記録又は再生速度に対して最適な回転速度を複数備えており、前記外部機器は前記ディ
スクドライブの周囲の環境情報をもとに光ディスクドライブの回転速度の上限及び下限を
前記最適な回転速度の中から決定し、前記制御装置は前記外部機器より入力された前記上
限の回転速度より順に前記下限の回転速度まで回転速度を落として前記光ピックアップで
記録または読み出し可能である速度を検出し、前記読み出し可能速度は前記光ディスクの
記録又は読み出し開始時に行われると共に、検出されたディスクスピンドルモータの回転
速度は前記メモリに記録され、前記メモリに記録された前記ディスクスピンドルモータの
回転速度は再度記録又は読み出し開始まで保持されることを特徴とする光ディスクドライ
ブを提供する。
【００１４】
この構成によると、外部機器に環境情報検出及びディスクスピンドルモータの回転速度
の上限及び下限の決定を任せているので光ディスクドライブは、複雑な動作をしなくても
良く、それだけ、簡単な構造で、安価に製造できる。また、外部機器が検出する環境情報
についても光ディスクドライブには直接関係ないので、後で環境情報を追加する場合でも
容易に追加することができる。
【００１５】
上記構成の前記環境情報は上記の時間、光ディスクドライブの外部温度、使用者からの
指示命令以外又はそれらに加えて該光ディスクドライブの回転速度に影響すると使用者が
要求する情報を広く採用することができる。
【００１６】
上記環境情報としては、それには限定されないが例えば、音圧、湿度、外気温等を上げ
ることができる。
【００１７】
上述の目的を達成するために請求項４に示す発明は、ディスクドライブの周囲の環境情
報に応じてホストコンピュータにてディスクスピンドルモータに予め設定されている回転
速度のうち上限及び（又は）下限を決定する回転速度範囲決定ステップと、前記ホストコ
ンピュータにて決定された各環境情報に応じた前記ディスクスピンドルモータの回転速度
の上限及び（又は）下限のうち、使用者に任意に決定された優先順位の上位の上限及び（
又は）下限を選択する回転速度限定ステップと、前記回転速度範囲決定ステップにて決定
された上限の回転速度より順に前記ディスクスピンドルモータの最低回転速度又は前記決
定された下限の回転速度まで回転速度を落として前記光ピックアップで記録または読み出
し可能である速度を検出する読み出し速度決定ステップと、前記速度検出ステップにて検
出されたディスクスピンドルモータの回転速度を前記メモリに記録するメモリ記録ステッ
プと、を有しており、前記回転速度検出ステップにて検出された読み出し可能な回転速度
は前記光ディスクの記録又は読み出し開始時に行われると共に、前記メモリに記録された
前記ディスクスピンドルモータの回転速度は再度記録又は読み出し開始まで保持され、前
記ディスクドライブの周囲の環境情報は、現在の時間、前記光ディスクドライブの外部の
温度及び使用者からの指示命令であることを特徴とする光ディスクドライブの回転速度制
御方法を提供する。
【００１８】
この構成によると、時間、外部の温度、使用者からの指示命令をもとにホストコンピュ
ータでディスクスピンドルモータの回転速度の上限及び（又は）下限を設定するので、前
記ディスクスピンドルモータが高速で回転することで生じる騒音、発熱等の悪影響を低減
することができる。
【００１９】
また、回転速度の上限及び下限を使用者が設定することができるので、光ディスクドラ
イブの劣化を防ぐように運転することができ、それだけ光ディスクドライブを長寿命にす
ることができる。
【００２０】
上述の目的を達成するために請求項５に示す発明は、ディスクドライブの周囲の環境情
報に応じて外部機器にてディスクスピンドルモータに予め設定されている回転速度のうち
上限及び（又は）下限を決定する回転速度範囲決定ステップと、前記外部機器にて決定さ
れた各環境情報に応じた前記ディスクスピンドルモータの回転速度の上限及び（又は）下
限のうち、使用者にて任意に決定された優先順位の上位の上限及び（又は）下限を選択す
る回転速度限定ステップと、前記上限決定ステップにて決定された上限回転速度より順に
回転速度を落として前記光ピックアップで記録又は読み出し可能である速度を検出する回
転速度検出ステップと、前記速度検出ステップにて検出されたディスクスピンドルモータ
の回転速度を前記メモリに記録するメモリ記録ステップと、を有しており、前記回転速度
検出ステップにて検出された読み出し可能な回転速度は前記光ディスクの記録又は読み出
し開始時に行われると共に、前記メモリに記録された前記ディスクスピンドルモータの回
転速度は記録又は読み出しを再度開始するまで保持されることを特徴とする光ディスクド
ライブの回転速度制御方法。
【００２１】
この構成によると、ディスクスピンドルモータの回転速度の上限及び下限を環境情報に
基づいて決定するのは外部機器であり、光ディスクドライブには余分な、部材が必要なく
なり、それだけ、安価に簡単に製造することが可能である。
【００２２】
上記構成において前記ディスクドライブの周囲の環境情報は、上記の時間、光ディスク
ドライブの外部温度以外又はそれらに加えて該光ディスクドライブの回転速度に影響する
と使用者が要求する条件を挙げることができる。
【００２３】
使用者が要求する条件としてそれには限定されないが、例えば、外気温、湿度、埃の量
、音圧等を上げることができる。また、光ディスクドライブの動作に影響のあるものを広
く条件として再予することができる。
【発明の効果】
【００２４】
本発明によると、周囲の状況に応じてディスクスピンドルモータの回転速度を決定する
ことができる光ディスクドライブ及び光ディスクドライブの回転制御方法を提供すること
ができる。
【発明を実施するための最良の形態】
【００２５】
以下に本発明を実施するための最良の形態を図面を参照して説明する。図１は本発明に
かかる光ディスクドライブの概略配置図を示す。
【００２６】
図１に示す光ディスクドライブＡは、光ディスクＤｓｃに記録されているデータを読み
出す又は光ディスクＤｓｃにデータを記録する光ピックアップ１と、光ディスクＤｓｃを
所定の回転速度で回転させるディスクスピンドルモータ２と、光ピックアップ１にて読み
出されたデータ及び光ディスクＤｓｃに記録するためのデータを一時格納しておくメモリ
３と、光ディスクドライブＡへ外部機器ＨＣ（ここではホストコンピュータＨＣ）よりデ
ータを入力する及び（又は）ホストコンピュータＨＣにデータを出力するための外部入出
力部４と、光ディスクドライブＡの各部の動作を制御する制御装置５と、ホストコンピュ
ータＨＣから環境情報を制御装置５に伝達するための情報入力部６とを有している。
【００２７】
光ピックアップ１は、レーザ光を光ディスクＤｓｃに照射することで光ディスクＤｓｃ
にデータを記録したり、光ディスクＤｓｃにて反射したレーザ光を検出することで光ディ
スクＤｓｃに記録されているデータを読み出したりする。
【００２８】
ディスクスピンドルモータ２は、光ピックアップ１の光ディスクＤｓｃへの書き込み速
度又は光ディスクＤｓｃからの読み込み速度に応じて、それには限定されないが基準速度
、２倍速、４倍速、８倍速、２０倍速及び４０倍速の回転速度設定を有している。ここで
、２倍速とは基準速度の２倍の書き込み又は読み出し速度を得るための回転速度である。
その他の速度設定も同様である。
【００２９】
メモリ３はホストコンピュータＨＣより入力され光ディスクＤｓｃに記録するデータ及
び光ディスクＤｓｃより光ピックアップ１にて読み出されるデータを一時格納しておくも
のである。また、各種設定の保持もメモリ３にて行われる。
【００３０】
ホストコンピュータＨＣは、ディスクスピンドルモータ２の回転条件を設定するための
情報として環境条件を取得する。ホストコンピュータＨＣは環境条件を取得するために光
ディスクドライブＡの温度を測定するための温度計Ｔｈと現在の時刻を出力する時計Ｔｍ
を備えている。ホストコンピュータＨＣは情報入力部６を介して温度及び時間情報等の環
境情報をもとに決定した回転速度の上限及び（又は）下限を制御装置５に入力する。また
、ホストコンピュータＨＣには使用者が指示命令を入力するための入力部７が接続されて
いる。
【００３１】
図２（Ａ）、（Ｂ）にディスクスピンドルモータの時間及び温度による回転速度の変化
を示す。
【００３２】
ディスクスピンドルモータ２は回転速度が早くなればなるほど、外部に多くの騒音を放
出する。そこで、深夜の時間帯においては微騒音運転（低速回転）を行い、早朝の時間帯
においては深夜よりも若干早い低騒音運転（中速回転）、昼間は高速運転（高速回転）を
行うものである。
【００３３】
図２（Ａ）に示すように午後１１時から午前４時までの間は周囲が静かで騒音が非常に
気になる時間帯であり最高速度が４倍速に設定される（図中ａ１）。また、午前４時から
午前７時までの間はわずかに、騒音が気になるので回転速度８倍速に設定されている（図
中ａ２）。それ以外の時間は基準速度から４０倍速まで全て設定する（図中ａ３）。回転
速度の上限が以上のようになるようにホストコンピュータＨＣが制御装置５に対して情報
を出力する。
【００３４】
また、ディスクスピンドルモータ２及びその軸受（図示省略）はディスクスピンドルモ
ータ２が高速回転しているほど発熱量が多い。光ディスクドライブＤｓｃは、例えばＰＣ
、オーディオ等の半導体部品を有する精密機械に搭載されることがほとんどであり、これ
らの半導体部品は熱に弱い。
【００３５】
ディスクスピンドルモータ２よりの発熱も半導体部品の劣化の原因になる可能性がある
。そこで図２（Ｂ）に示すように、光ディスクドライブＡが接続されるホストコンピュー
タＨＣより温度情報が入力されると温度にあわせて回転速度の上限を規制する。温度が４
０℃以下のときは上限速度を４０倍速に（図中ｂ１）、４０℃〜６０℃のときは上限速度
を２０倍速に（図中ｂ２）、６０℃〜８０℃のときは上限速度を８倍速に（図中ｂ３）、
８０℃以上の場合は上限速度を４倍速に（図中ｂ４）それぞれ設定する情報をホストコン
ピュータＨＣが制御装置５に対して出力する。
【００３６】
また、ディスクスピンドルモータ２の回転速度の決定は、電源投入後、光ディスクＤｓ
ｃの再読み込み時に回転速度の決定を行うものである。すなわち、図２（Ａ）を参照して
説明すると、午後１０時５０分にディスクスピンドルモータ２が４０倍速で回転している
とすると、午後１１時を過ぎても現在挿入されている光ディスクＤｓｃが取り出されたり
、光ディスクドライブＡの電源を切ったり再起動したりしない限りは、４０倍速で回転す
る。
【００３７】
前記ディスクスピンドルモータＡの回転速度の上限及び（又は）下限を設定する環境情
報として、時間、温度以外に、ここでは、使用者の指示によって上限及び（又は）下限を
設定するものがある。使用者の指示とは、使用者が入力によってディスクスピンドルモー
タ２の回転速度の上限及び（又は）下限を決定するものである。時間、温度、使用者の指
示の各情報が一度に制御装置５に対し出力され、異なる回転速度を上限又は下限に設定す
る情報である場合、使用者は各条件（時間、温度、使用者の指示）に任意の優先順位をつ
けることが可能である。ホストコンピュータＨＣはその優先順位にのっとって決定した回
転速度の上限及び下限を制御装置５に送る。
【００３８】
図３に光ディスクドライブの読み出し回転速度を検出するまでの動作手順のフローチャ
ートを示す。
【００３９】
光ディスクドライブＡに光ディスクＤｓｃが挿入される（ステップＳ１１）。ホストコ
ンピュータＨＣにて時間情報を検出する（ステップＳ１２）。また、ホストコンピュータ
ＨＣにて温度情報を検出する(ステップＳ１３）。また、使用者からの指示が入力を検出
する（ステップＳ１４）。時間情報、温度情報、使用者からの指示による回転速度の上限
及び下限をそれぞれ決定する（ステップＳ１５）。
【００４０】
時間情報による回転速度の上限、温度情報による回転速度の上限及び使用者からの指示
による回転速度の上限のうち最も優先順位の高いものを選ぶ（ステップＳ１６）。時間情
報による回転速度の下限、温度情報による回転速度の下限及び使用者からの指示による回
転速度の下限があるかどうか判断する（ステップＳ１７）。各条件による回転速度の下限
が設定されていない場合（ステップＳ１７でＮＯの場合）、回転速度の下限は基準速度に
設定する（ステップＳ１７１）。各条件のうち少なくとも一つは回転速度の下限の情報を
有している場合（ステップＳ１７でＹＥＳの場合）、各条件による回転速度の下限のうち
最も優先順位の高いものを選択する（ステップＳ１８）。
【００４１】
ステップＳ１６にて決定された回転速度の上限とステップＳ１７１又はステップＳ１８
にて決定された回転速度の上限及び下限データを光ディスクドライブＡの制御装置５に送
信する（ステップＳ１９）。ディスクピンドルモータ２の回転速度を決定する（ステップ
Ｓ１１０）。ステップＳ１１０にて決定されたディスクスピンドルモータ２の回転速度を
メモリに格納する（ステップＳ１１１）。
【００４２】
図５に光ディスクのディスクスピンドルモータの読み出し回転速度を決定する手順のフ
ローチャートを示す。
【００４３】
ディスクスピンドルモータ２の回転速度の上限が２０倍速、下限が４倍速の場合である
とホストコンピュータＨＣにて選択され、制御装置５に送信されてきた後、制御装置５は
ディスクスピンドルモータ２を２０倍速で回転させて、光ピックアップ１にて光ディスク
Ｄｓｃに記録されているデータが読み取れるかどうか検出する（ステップＳ２１）。光デ
ィスク２に記録されているデータが読み取れる場合（ステップＳ２１でＹＥＳの場合）、
ディスクスピンドルモータ２の回転速度を決定し（ステップＳ２４）、決定された回転速
度をメモリに格納する（ステップＳ２５）。
【００４４】
光ディスクＤｓｃに記録されているデータが読み取れない場合（ステップＳ２１にてＮ
Ｏの場合）、ディスクスピンドルモータ２の回転速度を８倍速に変更してデータを読み取
れるかどうか検出する（ステップＳ２２）。光ディスクＤｓｃに記録されているデータが
読み取れる場合（ステップＳ２２にてＹＥＳの場合）、ディスクスピンドルモータ２の回
転速度を決定し（ステップＳ２４）、決定された回転速度をメモリに格納する（ステップ
Ｓ２５）。
【００４５】
光ディスクＤｓｃに記録されているデータが読み取れない場合（ステップＳ２２にてＮ
Ｏの場合）、ディスクスピンドルモータ２の回転速度を４倍速に変更してデータを読み取
れるかどうか検出する（ステップＳ２３）。光ディスクＤｓｃに記録されているデータが
読み取れる場合（ステップＳ２２にてＹＥＳの場合）、ディスクスピンドルモータ２の回
転速度を決定し（ステップＳ２４）、決定された回転速度をメモリに格納する（ステップ
Ｓ２５）。
【００４６】
光ディスクＤｓｃに記録されているデータが読み取れない場合（ステップＳ２３にてＮ
Ｏの場合）、予め設定されているディスクスピンドルモータ２の回転速度の下限は４倍速
であるので、読み取れない場合は読み出し不可能な光ディスクＤｓｃであることを、ホス
トコンピュータＨＣに出力し（ステップ２６）、終了する。
【００４７】
上述に示した実施例では、光ディスクドライブＡと接続し制御装置５にディスクスピン
ドルモータ２の回転速度の上限及び下限を入力する外部機器としてホストコンピュータＨ
Ｃを挙げているがそれに限定されるものではなく、制御装置５に回転速度の上限及び下限
を入力することができる機器を広く採用することが可能である。このときの条件として上
述の例では、時間、温度、使用者の指示を例示しているが、それに限定されるものではな
く、外気温、湿度、埃の量、音圧等、光ディスクドライブＤｓｃの設置雰囲気の条件を広
く採用することが可能である。
【００４８】
上述した実施例では、外部機器（ホストコンピュータＨＣ）と制御装置５を接続するの
に情報入力部６を利用しているが、外部入出力部４を利用してもよい。そうすることで、
既存の光ディスクドライブにも外部機器の小変更で本発明の制御方法を利用することが可
能である。
【図面の簡単な説明】
【００４９】
【図１】本発明にかかる光ディスクドライブの概略配置図である。
【図２】図（Ａ）は時間情報をもとに選択されるディスクスピンドルモータの回転速度の上限及び下限を、図（Ｂ）温度情報をもとに選択されるディスクスピンドルモータの回転速度の上限及び下限をそれぞれ示している。
【図３】本発明のディスクスピンドルモータの回転速度を決定する手順を示すフローチャートである。
【図４】本発明のディスクスピンドルモータの回転速度を決定する細かい手順を示すフローチャートである。
【図５】従来の光ディスクドライブの概略配置図である。
【図６】従来のディスクスピンドルモータの回転速度を決定する手順を示すフローチャートである。
【符号の説明】
【００５０】
Ａ、Ｂ  光ディスクドライブ
１  光ピックアップ
２  ディスクスピンドルモータ
３  メモリ
４  外部入出力部
５  制御部
６  情報入力部
ＨＣ  ホストコンピュータ
【図１】
2005108285.tif 000003
【図２】
2005108285.tif 000004
【図３】
2005108285.tif 000005
【図４】
2005108285.tif 000006
【図５】
2005108285.tif 000007
【図６】
2005108285.tif 000008